(57)【要約】【課題】強度の向上を図った巻回体収容箱を提供する。【解決手段】巻回体収容箱１０１は、巻回体９１ｒを収容する直方体状の内箱１１０と、内箱１１０が嵌合された直方体状の外箱１とを備える。外箱１は、外後板１４と外前板１２とを含む本体部１０と、外後板端辺１８に回動可能に連接されて外開口面１０ｈを覆う蓋部２０とを有する。内箱１１０は、内開口面１１０ｈと外開口面１０ｈとが同じ向きになるように内箱１１０を外箱１に嵌合したときに外前板１２に対向する内前板１１２と、内前板端辺１１９に連接されて内箱１１０の内部に向けて延びる内副板１１６を有する。而して、巻回体９１ｒが内箱１１０に収容されて引き出された長尺物９１ｆが切断される際に外前板１２が押されても内前板１１２のたわみが軽減されることとなり、内箱１１０の強度を向上させることができる。【選択図】図１
2014040255.tif 000002
【特許請求の範囲】
【請求項１】
薄膜状の長尺物が巻かれた巻回体を収容する直方体状の内箱と；
前記内箱が嵌合された直方体状の外箱とを備え；
前記外箱は、嵌合された前記内箱に前記巻回体が収容されたときに前記巻回体の軸線と平行になる４つの長方形面のうちの１つが前記内箱を出し入れ可能に開口した外開口面に形成されると共に、前記外開口面に直交する２つの前記長方形面のうちの一方を構成する外後板と、前記外後板に対向する外前板と、を含む本体部と、前記外後板の前記外開口面と交わる端辺である外後板端辺に回動可能に連接されて前記外開口面を覆う蓋部と、を有し；
前記内箱は、前記巻回体が収容されたときに前記巻回体の軸線と平行になる４つの長方形面のうちの１つが開口した内開口面に形成されると共に、前記内開口面と前記外開口面とが同じ向きになるように前記内箱を前記外箱に嵌合したときに前記外前板に対向する内前板と、前記内前板の前記内開口面と交わる端辺である内前板端辺に連接されて前記内箱の内部に向けて延びる内副板とを有する；
巻回体収容箱。
【請求項２】
前記内副板が、前記内前板に沿って前記内開口面から離れる方向に延びて構成された；
請求項１に記載の巻回体収容箱。
【請求項３】
前記内副板が、前記外後板端辺に向かって延びて構成された；
請求項１に記載の巻回体収容箱。
【発明の詳細な説明】
【技術分野】
【０００１】
本発明は巻回体収容箱に関し、特に強度の向上を図った巻回体収容箱に関する。
【背景技術】
【０００２】
食材や料理あるいは皿などの食器を料理ごと包む食品用ラップフィルムが広く用いられている。食品用ラップフィルムは、典型的には、ロール状に巻かれた長尺のプラスチックフィルム（巻回体）が、長い直方体の容器（収容箱）に収容されており、使用する際には、先端のフィルムをロールから必要量引き出し、容器の蓋に取り付けられている切断刃で切断する。近年の環境保全意識の高まりを背景に、使用に伴って強度が低下する板紙で収容箱が形成されている場合でも巻回体を詰め替えて使用できるようにしたものとして、詰め替え用のロール状包装材料を収納する詰め替え用ロール状包装材料収納カートンであって、カートン本体と、カートン本体に折れ線を介して連接された蓋体とからなり、カートン本体を従来の切断手段を備えたロール状包装材料収納カートンの中に密接した状態で収容可能な形状、寸法とし、蓋体を折れ線で本体から切り取って使用する詰め替え用ロール状包装材料収納カートンがある（例えば、特許文献１参照。）。
【先行技術文献】
【特許文献】
【０００３】
【特許文献１】特開２００５−１１２３７６号公報（図２等）
【発明の概要】
【発明が解決しようとする課題】
【０００４】
しかしながら、上述の詰め替え用ロール状包装材料収納カートンでは、フィルムを切断する際に、切断刃が取り付けられた蓋をカートンの前面板に押し付けると前面板がたわみがちで、強度が十分でない場合があった。
【０００５】
本発明は上述の課題に鑑み、強度の向上を図った巻回体収容箱を提供することを目的とする。
【課題を解決するための手段】
【０００６】
上記目的を達成するために、本発明の第１の態様に係る巻回体収容箱は、例えば図１に示すように、薄膜状の長尺物９１ｆが巻かれた巻回体９１ｒを収容する直方体状の内箱１１０と；内箱１１０が嵌合された直方体状の外箱１とを備え；外箱１は、嵌合された内箱１１０に巻回体９１ｒが収容されたときに巻回体９１ｒの軸線９１ａと平行になる４つの長方形面のうちの１つが内箱１１０を出し入れ可能に開口した外開口面１０ｈに形成されると共に、外開口面１０ｈに直交する２つの長方形面のうちの一方を構成する外後板１４と、外後板１４に対向する外前板１２と、を含む本体部１０と、外後板１４の外開口面１０ｈと交わる端辺である外後板端辺１８に回動可能に連接されて外開口面１０ｈを覆う蓋部２０と、を有し；内箱１１０は、巻回体９１ｒが収容されたときに巻回体９１ｒの軸線９１ａと平行になる４つの長方形面のうちの１つが開口した内開口面１１０ｈに形成されると共に、内開口面１１０ｈと外開口面１０ｈとが同じ向きになるように内箱１１０を外箱１に嵌合したときに外前板１２に対向する内前板１１２と、内前板１１２の内開口面１１０ｈと交わる端辺である内前板端辺１１９に連接されて内箱１１０の内部に向けて延びる内副板１１６（図１（Ｂ）参照）とを有する。
【０００７】
このように構成すると、内箱が内副板を有するので、巻回体が内箱に収容されて引き出された長尺物が切断される際に外前板が押されても内前板のたわみが軽減されることとなり、内箱の強度を向上させることができる。
【０００８】
また、本発明の第２の態様に係る巻回体収容箱は、例えば図１（Ｂ）に示すように、上記本発明の第１の態様に係る巻回体収容箱において、内副板１１６が、内前板１１２に沿って内開口面１１０ｈ（例えば図１（Ａ）参照）から離れる方向に延びて構成されている。
【０００９】
このように構成すると、内副板が内前板に重なることとなり、内前板を補強することができる。
【００１０】
また、本発明の第３の態様に係る巻回体収容箱は、例えば図２に示すように、上記本発明の第１の態様に係る巻回体収容箱において、内副板１１６が、外後板端辺１８に向かって延びて構成されている。
【００１１】
このように構成すると、巻回体が内箱に収容されて長尺物が引き出されたときに巻回体が内箱から飛び出てしまうことを抑制することができる。
【００１２】
また、本発明の第４の態様に係る巻回体入り収容箱として、例えば図１に示すように、上記本発明の第１の態様乃至第３の態様のいずれか１つの態様に係る巻回体収容箱１０１と、内箱１１０に収容された、薄膜状の長尺物９１ｆが巻かれた巻回体９１ｒとを備えることとしてもよい。
【００１３】
このように構成すると、長尺物が切断される際に外前板が押されても内前板のたわみが軽減される、強度が向上した巻回体入り収容箱となる。
【発明の効果】
【００１４】
本発明によれば、内箱が内副板を有するので、巻回体が内箱に収容されて引き出された長尺物が切断される際に外前板が押されても内前板のたわみが軽減されることとなり、内箱の強度を向上させることができる。
【図面の簡単な説明】
【００１５】
【図１】（Ａ）は本発明の実施の形態に係るラップカートンの分解斜視図、（Ｂ）は本発明の実施の形態に係るラップカートンの部分垂直断面図である。
【図２】本発明の実施の形態の変形例に係るラップカートンの部分垂直断面図である。
【発明を実施するための形態】
【００１６】
以下、図面を参照して本発明の実施の形態について説明する。なお、各図において互いに同一又は相当する部材には同一あるいは類似の符号を付し、重複した説明は省略する。
【００１７】
まず図１を参照して、本発明の実施の形態に係る巻回体収容箱としてのラップカートン１０１を説明する。図１（Ａ）は、ラップカートン１０１の分解斜視図、（Ｂ）は部分垂直断面図である。ラップカートン１０１は、巻回体としてのラップロール９１ｒを収容する内箱１１０と、内箱１１０が嵌合された外箱１とを備えている。ラップカートン１０１の内箱１１０にラップロール９１ｒが収容されているものが、巻回体入り収容箱としてのラップ入りカートン１００となる。ラップロール９１ｒは、薄膜状の長尺物としてのラップフィルム９１ｆが円筒状の巻芯に軸線９１ａまわりに巻かれてロール状に形成されたものである。以下の説明において、ラップロール９１ｒとラップフィルム９１ｆとの外観形状の区別をしない場合は、「ラップ９１」と総称する。ラップフィルム９１ｆは、本実施の形態では、ポリ塩化ビニリデンを原料として厚さが５〜２０μｍに形成されている。
【００１８】
外箱１は、本体部１０と、蓋部２０とを有している。本体部１０は、内箱１１０を嵌合できる大きさの直方体に対して、細長い面の１つが全体に開口した外開口面１０ｈとなっている箱である。本体部１０は、外開口面１０ｈが全体に開口していることで、内箱１１０を出し入れできるように構成されている。本体部１０は、内箱１１０を嵌める際に嵌めやすく、内箱１１０が嵌められた状態でラップフィルム９１ｆを引き出した際に内箱１１０が外れない大きさに形成されている。本体部１０は、本実施の形態では幅４４ｍｍ、高さ４４ｍｍ、長さ３１０ｍｍの大きさに形成されている。
【００１９】
本体部１０は、外開口面１０ｈと協働して直方体の側面を構成する外前板１２、外底板１３、外後板１４と、直方体の端面を構成する一対の外脇板１５とを有している。外底板１３は、外開口面１０ｈに対向している。外前板１２及び外後板１４は、外開口面１０ｈ及び外底板１３に直交している。外脇板１５は、典型的には正方形に形成されているが、縦横の長さが異なる矩形であってもよい。以下の説明においては、水平な面に外底板１３が載置された状態を基準として、外底板１３側を下、外開口面１０ｈ側を上として説明する場合もある。外脇板１５の上端の中央部分には、３ｍｍ程度上方に延びた小片が外側に折り返されて形成された突起１５ｐが設けられている。突起１５ｐは、２つあるそれぞれの外脇板１５の上端を形成する辺である外脇板端辺１５ｓに設けられている。また、本体部１０は、外前板端辺１９で外前板１２と連続する外副板１６（図１（Ｂ）参照）を有している。外前板端辺１９は、外前板１２と外開口面１０ｈとが交わる部分の外前板１２の端辺であり、本実施の形態では外前板１２と外副板１６との境界を兼ねている。外副板１６は、外前板１２と略同じ大きさであるが外底板１３とは接しておらず、外前板１２よりも本体部１０の内側に設けられている。外副板１６は、外底板１３側の端辺が、長手方向に沿って外前板１２に接着されている。外副板１６が設けられていることにより、本体部１０の強度の向上を図っている。
【００２０】
蓋部２０は、本体部１０の外開口面１０ｈを塞ぐ部材である。蓋部２０は、蓋板２１と、掩蓋片２２と、切断刃２３と、側蓋片２５とを有している。蓋板２１は、外開口面１０ｈと略同じ大きさの矩形平板状部材であり、蓋板２１を外開口面１０ｈに合わせることで本体部１０を閉塞した直方体とすることができるようになっている。蓋板２１が外開口面１０ｈと略同じ大きさとは、蓋板２１が、掩蓋片２２の厚さ及び側蓋片２５の厚さの分大きく、蓋部２０の開閉を妨げない隙間が形成される程度大きい場合を含むことを意味している。蓋板２１は、長手方向の一辺が、本体部１０の外後板端辺１８で連接している。換言すれば、本体部１０と蓋板２１とは、外後板端辺１８を介して連接している。外後板端辺１８は、外後板１４と外開口面１０ｈとが交わる部分の外後板１４の端辺である。蓋板２１は、外後板端辺１８を回転軸線として、本体部１０に対して回動することができるように構成されている。
【００２１】
掩蓋片２２は、折曲辺２１ｆを介して蓋板２１と直交し、蓋部２０を閉じたときに外底板１３に向かって延びるように設けられている。掩蓋片２２は、ラップロール９１ｒが収容された内箱１１０が本体部１０に収容された場合におけるラップロール９１ｒの軸線９１ａが延びる方向（以下「軸線方向Ｄ」という。）の両端における高さ（長方形の外前板１２の短辺方向の長さ）が、外前板１２の短辺方向の長さの約１／２で、軸線方向Ｄの中央部の高さが、外前板１２の短辺方向の長さの約３／４となっている。折曲辺２１ｆに対向する先端辺２２ｔは、軸線方向Ｄにおける中央からそれぞれの端部に移動するに連れて、軸線方向Ｄに直交する方向における折曲辺２１ｆと先端辺２２ｔとの距離が短くなるように形成されている。このような構成により、折曲辺２１ｆに対向する先端辺２２ｔがＶ字状に形成されることとなる。掩蓋片２２は、蓋部２０が閉じられたときに、外前板１２に沿って外前板１２の外側に重なり、外前板１２の上部を五角形状に覆うこととなる。掩蓋片２２は、軸線方向Ｄの長さが外前板１２よりもわずかに長く構成されており、本体部１０に収容されるラップ９１の幅よりも長い。これにより、掩蓋片２２は、本体部１０の中から引き出されたラップフィルム９１ｆを、その幅全体にわたって、外前板１２との間に挟むことができるように構成されている。掩蓋片２２の先端辺２２ｔには、ラップフィルム９１ｆを切断するための切断刃２３が取り付けられている。切断刃２３は、刃先が先端辺２２ｔから出るように、先端辺２２ｔに沿ってＶ字状に設けられている。
【００２２】
側蓋片２５は、蓋板２１及び掩蓋片２２の双方に直交して設けられている。側蓋片２５は、蓋板２１（掩蓋片２２）の両端に合計２つ設けられている。側蓋片２５は、基本形状が、長辺が蓋板２１の短辺と同じ長さで、短辺が掩蓋片２２の中央部における高さ（Ｖ字状の先端から折曲辺２１ｆまでの最短距離）と略同じ長さの長方形に形成されている。この基本形状を基に、側蓋片２５は、外底板１３側の辺と外後板１４側の辺とが交わる角部が、除去されている。側蓋片２５は、掩蓋片２２に連接された接合片２２ｊに接着剤で固定されている。側蓋片２５の内側には、接合片２２ｊと蓋板２１との間に、凹部２５ｄが形成されている。凹部２５ｄには、蓋部２０を閉じたときに、外脇板端辺１５ｓに設けられた突起１５ｐが嵌ることとなる。上述のように構成された蓋部２０は、閉じたときに、本体部１０の外開口面１０ｈに覆い被さり、掩蓋片２２が外前板１２の上部を覆うようになっている。
【００２３】
本体部１０及び蓋部２０は、本実施の形態では、約０．４５〜０．７ｍｍ厚のコートボール紙が加工されて形成されている。このため、外箱１は、弾性を有している。なお、本実施の形態では、説明の便宜上、本体部１０と蓋部２０とを機能の観点から区別しているが、本体部１０及び蓋部２０は、１枚の原紙を切り出して組み立てられて一体に形成されている。本体部１０及び蓋部２０の表面は、消費者の購買意欲を惹起するようなデザインが印刷されたうえで、全体に表面処理が施されている。また、外箱１は、外前板１２の上部に、外前板１２の面が切り込まれることにより、外副板１６から離れて本体部１０の外側に浮く翼片１２ｆが形成されている。つまり、外前板１２は、翼片１２ｆを含んで構成されている。翼片１２ｆは、蓋部２０を閉じたときに掩蓋片２２に覆われて外面に表れない大きさで、外前板１２の上部の中央の領域を挟んで左右対称に合計２つが、外前板端辺１９に沿って形成されている。各翼片１２ｆの下側の辺の輪郭となる切り線は、外前板端辺１９上の一点から、外前板１２の面内を通り、当該一点から離れた外前板端辺１９上の他の点に到達している。各翼片１２ｆの下側の辺は、本実施の形態では、軸線方向Ｄに辿ったときに、一旦外前板端辺１９に少し近づいた後に再び外前板端辺１９から離れるような、滑らかな曲線に形成されている。換言すると、各翼片１２ｆの下側の辺は、その中央部分が両端よりも上方に凹んでいる。各翼片１２ｆは、外前板端辺１９で外副板１６と連接していることにより、外前板端辺１９を回転軸線として回動することができるように構成されている。
【００２４】
各翼片１２ｆの表面には、係止手段としてのストッパー１２ｓが、ＵＶニスが塗布されることで形成されている。ストッパー１２ｓは、本実施の形態では、実質的に各翼片１２ｆの軸線方向Ｄの長さ全体にわたって形成されている。ここで「実質的に翼片１２ｆの軸線方向Ｄの長さ全体にわたって形成されている」とは、厳密に連続して形成されていることを求める意図ではなく、ラップフィルム９１ｆの切断時に、適切な切断を妨げるほどにラップフィルム９１ｆが移動してしまうことを回避できる程度にラップフィルム９１ｆを係止させることができる範囲で、断続的に形成されていない部分があったり、両端に形成されていない部分があることを許容することを意味している。本実施の形態では、ストッパー１２ｓが、各翼片１２ｆよりも外側の外前板１２の面、及び両翼片１２ｆの間の外前板１２の面にも形成されている。
【００２５】
内箱１１０は、外箱１の本体部１０内に嵌め込むことができる大きさで、基本的な形状が直方体に形成されている。内箱１１０は、直方体の側面に相当する４つの長方形面のうちの１つが全体に開口した内開口面１１０ｈとなっている。内箱１１０は、内開口面１１０ｈと協働して直方体の側面を構成する内前板１１２、内底板１１３、内後板１１４と、直方体の端面に相当する一対の内脇板１１５とを有している。内底板１１３は、内開口面１１０ｈに対向している。内前板１１２及び内後板１１４は、内開口面１１０ｈ及び内底板１１３に直交している。一対の内脇板１１５は、内開口面１１０ｈ、内前板１１２、内底板１１３、及び内後板１１４に直交しており、本実施の形態では正方形に形成されている。内箱１１０は、本実施の形態では、内前板１１２、内底板１１３、内後板１１４、及び内脇板１１５には、開口が形成されていない。
【００２６】
また、内箱１１０は、内前板１１２に連接した内副板１１６（図１（Ｂ）参照）を有している。内副板１１６は、内前板１１２と内開口面１１０ｈとが交わる部分の内前板１１２の端辺である内前板端辺１１９全体で内前板１１２に連接している。内副板１１６は、本実施の形態では、内前板１１２の面積の約半分の面積を持つ長方形に形成されており、内前板１１２に沿って内箱１１０の内側に配置されている。換言すれば、内副板１１６は、内開口面１１０ｈから離れる方向に延びている。また、内副板１１６は、内前板１１２に貼り付けられている。
【００２７】
上述のように構成された外箱１及び内箱１１０は、内前板１１２が外前板１２に対向し、内後板１１４が外後板１４に対向するような向きで、外底板１３の上に内底板１１３が載置されるように内箱１１０が外箱１に嵌合された状態になることで、ラップカートン１０１となる。このとき、ラップカートン１０１は、内開口面１１０ｈと外開口面１０ｈとが同じ向きとなっている。ラップ入りカートン１００が製造される過程は、典型的には、外脇板１５が開いている四角筒状の外箱１に対し、ラップロール９１ｒが収容された内箱１１０を、外箱１の外脇板１５が開いている端面から挿入した後、外脇板１５を閉じる手順で行われる。あるいは、外箱１及び内箱１１０を各々製造し、消費者が内箱１１０を外開口面１０ｈから外箱１に嵌合してラップ入りカートン１００とすることもできる。
【００２８】
上述のように構成されたラップ入りカートン１００において、ラップ９１を使用する際は、外箱１の蓋部２０を開け、ラップフィルム９１ｆを摘んで短辺方向Ｐに引き出す。ラップフィルム９１ｆを必要な長さ分引き出したら、切断刃２３で切断する。このとき、ラップフィルム９１ｆを必要な長さ分引き出した状態で蓋部２０を閉じ、ラップフィルム９１ｆを外前板１２と掩蓋片２２とで挟み、掩蓋片２２の図心を親指で押さえ、切断刃２３の中央を引き出されたラップフィルム９１ｆに食い込ませるようにラップ入りカートン１００を軸線９１ａまわりにひねると、ラッピングする食器等にラップフィルム９１ｆを付けた状態でも切断しやすく、好適である。このとき、外箱１は、翼片１２ｆが外前板１２に形成されているので、引き出されたラップフィルム９１ｆを翼片１２ｆと掩蓋片２２とで挟むことができ、ラップフィルム９１ｆの切断時の滑りを抑制することができる。さらに、翼片１２ｆに形成されたストッパー１２ｓが、ラップフィルム９１ｆの切断時の滑りをより抑制することに寄与することとなる。ラップカートン１０１は、内副板１１６が、内前板１１２に沿って配置されると共に内前板１１２に貼り付けられているので、掩蓋片２２の図心を親指で押さえて外前板１２及び内前板１１２の面に垂直な方向に力が作用しても、内前板１１２及び外前板１２のたわみを軽減することができる。
【００２９】
また、ラップカートン１０１は、外箱１に内箱１１０が嵌挿された二重構造になっており、ラップフィルム９１ｆを切断する際に掩蓋片２２の上から外前板１２が押されても外箱１にかかる負荷が内箱１１０にも分散されることとなり、外箱１の損傷が抑制されて、ラップロール９１ｒが収容された内箱１１０を交換しても外箱１は繰り返し使用することが可能となる。外箱１と内箱１１０とは、協働して相互の強度低下の抑制に寄与している。また、ラップ入りカートン１００は、外前板１２にストッパー１２ｓが形成されているので、切断された後に翼片１２ｆと掩蓋片２２との間に挟まれているラップフィルム９１ｆの先端をストッパー１２ｓに係止させることができ、ラップフィルム９１ｆの先端がラップロール９１ｒに付着してしまうことによる、いわゆる巻き戻りの状態になることを防止することができる。また、外前板１２には翼片１２ｆが形成されているので、ラップ９１を使用する際にラップフィルム９１ｆが外前板１２から浮いて摘みやすい。
【００３０】
以上の説明では、内副板１１６が、内前板端辺１１９全体で内前板１１２に連接しているとしたが、例えば、軸線方向Ｄの長さが内前板端辺１１９の長さよりも短くて内前板端辺１１９の両端で内前板１１２に連接していなくてもよく、複数に分割されて隣接する内箱フラップの間に隙間が形成されていてもよい。また、内副板１１６が、内前板１１２の面積の約半分の面積を持つ長方形に形成されているとしたが、大きさは、内前板１１２の面積の１／４あるいは２／３等、内前板１１２の面積の半分以外の面積であってもよく、また、形状は、長方形以外の、輪郭が円弧状や多角形に形成されていてもよい。
【００３１】
以上の説明では、内副板１１６が、内前板１１２に沿って内箱１１０の内側に配置されている、換言すれば、内開口面１１０ｈから離れる方向に延びているとしたが、図２の部分垂直断面図に示すように、外後板端辺１８に向かって延びるように、内開口面１１０ｈ上に配置されることとしてもよい。このように構成すると、比較的自己密着性が高いラップ９１を使用しようとしてラップフィルム９１ｆを引き出した際に、ラップロール９１ｒからラップフィルム９１ｆが円滑に剥離せず、ラップフィルム９１ｆに引っ張られてラップロール９１ｒが内箱１１０から飛び出す方向に移動しようとしても、内副板１１６によってラップロール９１ｒの飛び出しを抑制することができる。
【００３２】
以上の説明では、内箱１１０が、内前板１１２、内底板１１３、内後板１１４、及び内脇板１１５には開口が形成されていないとしたが、ラップロール９１ｒを収容することができれば、内前板１１２、内底板１１３、内後板１１４、及び内脇板１１５の１つ又は複数に、開口が形成されていてもよい。
【符号の説明】
【００３３】
１    外箱
１０  本体部
１０ｈ  外開口面
１２  外前板
１４  外後板
１８  外後板端辺
１９  外前板端辺
２０  蓋部
９１ａ  軸線
９１ｆ  ラップフィルム
９１ｒ  ラップロール
１００  ラップ入りカートン
１０１  ラップカートン
１１０  内箱
１１０ｈ  内開口面
１１２  内前板
１１６  内副板
１１９  内前板端辺
【図１】
2014040255.tif 000003
【図２】
2014040255.tif 000004